【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
空気圧式材料処理システムにおいて材料を処理する方法であって、廃材等の材料は、ごみシュート（３）又は何らかの他の投入点（２００）の投入開口部等の投入点の投入開口部から投入され、該投入点に関連して又は該投入点の付近に配置されている成形装置（１）によってよりコンパクトになるように処理され、前方に移送される、方法において、
該成形装置（１）は、回転軸に対して偏心して配置されている開口部（１１Ａ、１１Ｃ）を含む回転可能な処理手段（１０Ａ、１０Ｃ）を備える回転成形機であり、該回転成形機は、少なくとも１つの固定処理手段（１０Ｂ）を備え、この場合、該処理される材料は、少なくとも部分的に重力及び／又は吸引及び／又は圧力差によって、該回転成形機内に及び／又は該回転成形機を通して誘導される、
ことを特徴とする、空気圧式材料処理システムにおいて材料を処理する方法。
【請求項２】
回転時に、該回転成形機の該処理手段（１０Ａ、１０Ｃ）の少なくとも一部は該処理される材料を該処理手段を通して給送する、ことを特徴とする請求項１に記載の方法。
【請求項３】
該回転可能な処理手段（１０Ａ、１０Ｃ）は、少なくとも１つの他の、好ましくは非可動処理手段（１０Ｂ）とともに該材料を成形する、ことを特徴とする請求項１又は２に記載の方法。
【請求項４】
該処理される材料の進行方向において、該回転成形機の後に配設されている該材料移送パイプ（４、５）内に該材料を誘導させることができるように、該回転成形機の該処理手段（１０Ａ、１０Ｂ、１０Ｃ）を通過する該材料の流れの断面積は減少している、ことを特徴とする請求項１乃至３のいずれか一項に記載の方法。
【請求項５】
該回転可能な処理手段（１０Ａ、１０Ｃ）の回転方向を変化させることができる、ことを特徴とする請求項１乃至４のいずれか一項に記載の方法。
【請求項６】
トルクを変化させることができるよう該回転可能な処理手段（１０Ａ、１０Ｃ）は駆動装置（７）によって駆動される、ことを特徴とする請求項１乃至５のいずれか一項に記載の方法。
【請求項７】
それぞれの該回転可能な処理手段（１０Ａ、１０Ｃ）の回転方向を個別に変化させることができる、ことを特徴とする請求項１乃至６のいずれか一項に記載の方法。
【請求項８】
該回転可能な処理手段の駆動装置（７）は電気モータ、空気圧式モータ、又は油圧モータである、ことを特徴とする請求項１乃至７のいずれか一項に記載の方法。
【請求項９】
該空気圧式材料処理システムは材料、より具体的には廃材のパイプ運搬システムである、ことを特徴とする請求項１乃至８のいずれか一項に記載の方法。
【請求項１０】
媒体が、該処理手段（１０Ａ、１０Ｂ、１０Ｃ）の少なくとも一部の間の間隙、及び／又は該処理手段（１０Ａ、１０Ｂ）と、それらを支持している部分（２７、２８）との間の間隙まで運ばれる、ことを特徴とする請求項１乃至９のいずれか一項に記載の方法。
【請求項１１】
該処理手段が投入された材料を該回転可能な処理手段の回転方向とは無関係に中心に向けるように、該処理手段（１０Ａ、１０Ｂ、１０Ｃ）の該開口部の縁（１３Ａ、１３Ｂ、１３Ｃ）の相互の形状は適合されている、ことを特徴とする請求項１乃至１０のいずれか一項に記載の方法。
【請求項１２】
ごみシュート（３）又は何らかの他の投入点（２００）等の少なくとも１つの投入点と、該投入点に関連して又は該投入点の付近に配置されている成形装置（１）と、移送配管内で材料を前方に移送する手段とを備えるパイプ運搬システム等の空気圧式材料処理システムにおいて材料を処理する装置であって、
該成形装置は回転成形機（１、１００）であり、該成形機のリム状の処理手段（１０Ａ、１０Ｂ、１０Ｃ）の一部は回転可能な処理手段（１０Ａ、１０Ｃ）であり、該処理手段は、該回転可能な処理手段の回転軸に対して偏心して配置されている開口部（１１Ａ、１１Ｂ、１１Ｃ）を備え、一部は固定処理手段（１０Ｂ）であり、該処理される材料は、少なくとも部分的に重力及び／又は吸引及び／又は圧力差によって、該回転成形機内に及び該回転成形機を通して誘導される、
ことを特徴とする、材料を処理する装置。
【請求項１３】
該回転成形機の該処理手段（１０Ａ、１０Ｂ、１０Ｃ）の少なくとも一部は、材料を給送するねじ山付きのセクション等の表面パターン形成手段又は相当する手段を備え、処理手段（１０Ａ、１０Ｃ）が回転する際に、回転式プレス機の該処理手段によって生じる圧縮段階を通じ、該表面パターン形成は該処理される材料を移送する、ことを特徴とする請求項１２に記載の装置。
【請求項１４】
該材料の進行方向において、該回転成形機の該処理手段（１０Ａ、１０Ｂ、１０Ｃ）を通過する該材料の経路（１１Ａ、１１Ｂ、１１Ｃ）の断面積は該材料の進行方向に減少する、ことを特徴とする請求項１２又は１３に記載の装置。
【請求項１５】
媒体を該成形手段（１０Ａ、１０Ｂ、１０Ｃ）の少なくとも一部の支持表面（１２Ａ、１２Ｂ、１２Ｃ；１４Ａ、１４Ｂ、１４Ｃ）に運ぶ該成形手段と接続して配置されているチャネル手段（７０、７１、７２）を該装置は備える、ことを特徴とする請求項１２乃至１４のいずれか一項に記載の装置。
【請求項１６】
媒体用の投入連結部（７０、７１、７２）と、媒体を処理手段の該支持表面（１２Ａ、１２Ｂ、１２Ｃ；１４Ａ、１４Ｂ、１４Ｃ）へ又は該処理手段間へ導くチャネル（７３、７４）とが、該成形手段内に配置されている、ことを特徴とする請求項１２乃至１５のいずれか一項に記載の装置。
【請求項１７】
該回転成形機の排出開口部（３７）は該材料の移送方向においてそれに続く該移送パイプ（４、５）の断面積よりも小さい、ことを特徴とする請求項１２乃至１６のいずれか一項に記載の装置。
【請求項１８】
少なくとも該材料の投入方向において、２つの連続した処理手段（１０Ａ、１０Ｂ；１０Ｂ、１０Ｃ）の該開口部（１１Ａ、１１Ｂ；１１Ｂ、１１Ｃ）の縁（１３Ａ、１３Ｂ；１３Ｂ、１３Ｃ）によって形成される角度（α、β）（アルファ、ベータ）は４５度よりも大きい、ことを特徴とする請求項１２乃至１７のいずれか一項に記載の装置。
【請求項１９】
該処理手段が投入された材料を該回転可能な処理手段（１０Ａ、１０Ｃ）の回転方向とは無関係に中心に向けるように該処理手段（１０Ａ、１０Ｂ、１０Ｃ）の該開口部の該縁（１３Ａ、１３Ｂ、１３Ｃ）の相互の形状は適合されている、ことを特徴とする請求項１８に記載の装置。
【請求項２０】
該処理手段の該開口部（１１Ａ、１１Ｂ、１１Ｃ）は形状が円形又は楕円形である、ことを特徴とする請求項１２乃至１９のいずれか一項に記載の装置。
【請求項２１】
処理手段の該開口部（１１Ａ、１１Ｃ）の該縁（１３Ａ、１３Ｃ）は外側湾曲セクション（１３Ａ１、１３Ｃ１）と第２の内側湾曲セクション（１３Ａ３、１３Ｃ３）とを含む形状を有しており、該湾曲セクションは主に直線状のセクション（１３Ａ２、１３Ｃ２）によって接続されている、ことを特徴とする請求項１２乃至２０のいずれか一項に記載の装置。
【請求項２２】
該第１の湾曲セクション（１３Ａ１、１３Ｃ１）の曲率半径は該第２の湾曲セクション（１３Ａ３、１３Ｃ３）の曲率半径よりも大きい、ことを特徴とする請求項２１に記載の装置。
【請求項２３】
回転成形機のための回転可能な処理手段であって、該回転可能な処理手段（１０Ａ、１０Ｃ）は、該回転可能な処理手段の回転軸に対して偏心して配置された開口部（１１Ａ、１１Ｃ）を備える手段のようなリングである、ことを特徴とする回転可能な処理手段。
【請求項２４】
該処置手段の該開口部（１１Ａ、１１Ｃ）は形が円や楕円である、ことを特徴とする請求項２３に記載の回転可能な処理手段。
【請求項２５】
該処理手段の前記開口部（１１Ａ、１１Ｃ）の縁（１３Ａ、１３Ｃ）は、外側湾曲セクション（１３Ａ１、１３Ｃ１）と第２の内側湾曲セクション（１３Ａ３、１３Ｃ３）からなる形状を有し、これらの湾曲セクションは、主に直線上のセクション（１３Ａ２、１３Ｃ２）により接続される、ことを特徴とする請求項２３に記載の回転可能な処理手段。
【請求項２６】
該処理手段の外側リム（１５Ａ、１５Ｃ）は上反り状又はバレル状の形である、ことを特徴とする請求項２３に記載の回転可能な処理手段。